(57)【要約】【課題】携帯電話端末の如き通信端末装置の複雑な操作が、簡単に行えるようにする。【解決手段】操作入力に基づいて、無線通信処理に関係したアプリケーションプログラムを実行し、その実行により所定の表示を行う場合において、所定の操作により、アプリケーションプログラムを実行させる操作入力を記憶し、その記憶された操作入力の情報を読み出すことで、記憶された操作入力に基づいたアプリケーションプログラムの実行状態を再現するようにした。【選択図】図２
2007158684.tif 000002
【特許請求の範囲】
【請求項１】
無線通信処理部と、
前記無線通信処理部での通信処理に関係したアプリケーションプログラムを記憶するプログラム記憶部と、
前記プログラム記憶部に記憶されたアプリケーションプログラムを実行する制御部と、
前記制御部でのアプリケーションプログラムの実行に対応した表示を行う表示部と、
前記アプリケーションプログラムの実行を指示する操作部と、
前記操作部での所定の操作が行われた状態で、前記アプリケーションプログラムを実行させるための前記操作部の操作情報を記憶する操作記憶部を備え、
前記制御部は、前記操作記憶部に記憶された操作情報を読み出すことで、記憶された操作に基づいたアプリケーションプログラムの実行状態を再現することを特徴とする
通信端末装置。
【請求項２】
請求項１記載の通信端末装置において、
前記操作記憶部に記憶された操作の情報は、操作部として用意されたキーの内の操作されたキーを示す情報と、キーを操作したタイミングの情報とを含むことを特徴とする
通信端末装置。
【請求項３】
請求項２記載の通信端末装置において、
前記キーを操作したタイミングの情報には、キーが押されたタイミングの情報と、押されたキーが離されたタイミングの情報を含むことを特徴とする
通信端末装置。
【請求項４】
請求項１記載の通信端末装置において、
前記操作記憶部に記憶された操作の情報を、前記無線通信処理部による無線通信で他の通信端末装置に送信することを特徴とする
通信端末装置。
【請求項５】
操作入力に基づいて、無線通信処理に関係したアプリケーションプログラムを実行し、その実行により所定の表示を行う端末を制御する端末制御方法において、
所定の操作により、前記アプリケーションプログラムを実行させる操作入力を記憶し、
前記記憶された操作入力の情報を読み出すことで、記憶された操作入力に基づいたアプリケーションプログラムの実行状態を再現することを特徴とする
端末制御方法。
【発明の詳細な説明】
【技術分野】
【０００１】
本発明は、携帯電話端末に適用して好適な通信端末装置、及びその端末装置での処理に適用される端末制御方法に関する。
【背景技術】
【０００２】
近年、携帯電話端末は多機能化する傾向にある。端末に用意された様々な機能を実行するためには、端末に配置されたキーを使用して、機能ごとに異なる操作入力が必要である。具体的には、ユーザが必要とする機能が実行されるようにするために、例えば、階層構造になったメニュー画面などの表示に基づいて、多数の操作をして、必要とする機能の操作画面にたどり着くようにする必要があった。
【０００３】
特許文献１には、パーソナルコンピュータ装置において、キーボードの操作履歴を記憶することについての開示がある。
【特許文献１】特開平３−２４６６４１号公報
【発明の開示】
【発明が解決しようとする課題】
【０００４】
上述したように、携帯電話端末の如き通信端末装置においては、端末装置に用意された各機能を、だれでも簡単に操作が行えるとは言えない状態であり、ユーザが望む機能を、いつでも簡単に操作できる状態であるとは言えなかった。
【０００５】
通常、必要な機能を実行するための操作が判らない場合には、取り扱い説明書を読んで、該当する操作手順を確認するか、あるいは、操作を知っている別のユーザに電話などで問い合わせて聞きだす場合などがある。しかしながら、このようなことを行って操作手順を確認した場合であっても、後日、同じ操作を行おうとしたときに、取り扱い説明書などで確認した操作を忘れてしまう場合もあり、結局、操作が判らない状態になってしまうことが多々ある。
【０００６】
特許文献１には、パーソナルコンピュータ装置において、キーボードの操作履歴を記憶して、その記憶した操作履歴を、後で障害発生時の解析用に使用することについての記載がありますが、障害解析以外の目的で操作履歴を使用する発想は従来、全くありません。特に、携帯電話端末の如き通信端末装置で、その通信端末装置の操作を記憶するようなことは従来全く行われてなく、過去に取り扱い説明書などで確認した操作を忘れてしまった場合には、対処ができない問題があった。
【０００７】
本発明はかかる点に鑑みてなされたものであり、携帯電話端末の如き通信端末装置の複雑な操作が、簡単に行えるようにことを目的とする。
【課題を解決するための手段】
【０００８】
本発明は、操作入力に基づいて、無線通信処理に関係したアプリケーションプログラムを実行し、その実行により所定の表示を行う場合において、所定の操作により、アプリケーションプログラムを実行させる操作入力を記憶し、その記憶された操作入力の情報を読み出すことで、記憶された操作入力に基づいたアプリケーションプログラムの実行状態を再現するようにしたである。
【０００９】
このようにしたことで、過去に実行して記憶させた操作入力を読み出して、アプリケーションプログラムを実行させることができるようになる。
【発明の効果】
【００１０】
本発明によると、過去に実行して記憶させた操作入力を読み出して、アプリケーションプログラムを実行させることができるようになり、例えば複雑が必要なプログラムを実行する場合であっても、予め記憶させた操作入力を使用して、簡単に実行できるようになる。
【００１１】
この場合、記憶された操作入力の情報は、操作部として用意されたキーの内の操作されたキーを示す情報と、キーを操作したタイミングの情報とを含むことで、過去に操作した速度で操作が再現されることになり、ユーザにとって判り易い操作再現が行われることになる。
【００１２】
また、キーを操作したタイミングの情報には、キーが押されたタイミングの情報と、押されたキーが離されたタイミングの情報を含むことで、キーの長押しのような複雑な操作状態にも対応できるようになる効果を有する。
【００１３】
また、記憶された操作の情報を、無線通信処理で他の通信端末装置に送信するようにしたことで、自己の通信端末装置で行った操作を、他の通信端末装置で再現することができ、他のユーザに操作を教えることが簡単にできるようになる。
【発明を実施するための最良の形態】
【００１４】
以下、本発明の一実施の形態を、添付図面を参照して説明する。
【００１５】
図１は、本例の携帯電話端末装置１０の構成例を示した図である。本例の携帯電話端末装置１０は、無線電話用の基地局と無線通信を行うための無線電話通信用アンテナ１１を備え、そのアンテナ１１が無線電話通信用の通信回路１２に接続してあり、制御部２０の制御で、基地局との間で無線通信を行うようにしてある。通信回路１２で通話用の通信を行う際には、受信した音声データをスピーカ１４に供給して出力させる。このスピーカ１４から出力させる際には、図示しない音声処理部でスピーカ出力用の処理が行われる。また、マイクロフォン１３が拾って得た音声データを、音通信回路１２に供給して送信させる。この送信時にも、図示しない音声処理部でマイクロフォン１３の出力を送信用の音声データとする音声処理が行われる。
【００１６】
この携帯電話端末装置１０は、液晶ディスプレイなどで構成された表示部４０と、複数の操作キーなどで構成された操作部１６を備える。表示部４０には、メール文、ウェブにアクセスさせた画面の表示や、後述するカメラ部３２で撮影された画像の表示などが行われる。操作部１６は、電話番号やメール文などの入力操作、各種モード設定、カメラ撮影操作などが行える。
【００１７】
これらの端末装置１０内の各ブロックは、制御ライン２３を介して制御部２０などと接続してあり、またデータライン２４を介してデータ転送を行える構成としてあり、メモリ１５に必要なデータを記憶させるようにしてある。制御部２０は、端末装置１０内の各部の制御を行う。後述する操作入力の記録（記憶）及び再生についても、操作部１６での所定の操作がある場合に、制御部２０の制御で実行される。メモリ１５には、携帯電話端末として必要な制御データなどのデータだけでなく、この端末装置に実装されたアプリケーションプログラムのデータについても記憶される。また、後述する操作入力データを記録（記憶）する際にも、このメモリ１５が記憶手段として使用される。操作入力データは、１単位の操作入力データごとに、それぞれ別のファイルのデータとして扱われる。なお、メモリ１５とは別に、大容量のデータ記憶手段であるハードディスクドライブ装置などを備えて、記憶手段の一部として使用されるようにしてもよい。
【００１８】
また、本例の携帯電話端末１０は、カメラ部３２とそのカメラ部３２での撮影を制御する撮像制御部３１とを備え、静止画及び動画の撮影が行える構成としてある。撮影された画像データは、メモリ１５に記憶させることができ、また通信回路１２に送って、この端末１０が通信を行う相手に送信することができる。
【００１９】
また、本例の携帯電話端末装置１０は、近距離無線通信部３３と、その近距離無線通信部３３に接続されたアンテナ３４とを備えて、所定の近距離無線通信方式で、相手の端末装置と無線通信が出来る構成としてある。近距離無線通信方式としては、例えばBluetooth（商標）方式が適用可能であり、例えば数メートル以内に近接した端末装置との間で無線通信が行われる。或いは、赤外線信号の送信による近距離無線通信を行う構成としてもよい。本例の端末装置１０の近距離無線通信部３３で無線通信されるデータとしては、電話帳データなどのデータの他に、メモリ１５に記憶された操作入力データを送信又は受信する場合がある。操作入力データを他の端末装置から受信した場合には、その受信した操作入力データを、メモリ１５などに記憶させるようにしてある。また、無線電話通信用の通信回路１２で基地局と無線通信を行って、電子メールデータなどを送受信する場合にも、そのメールデータの添付ファイルなどで、操作入力データを送ることができるように構成してある。これらの通信は、制御部２０の制御で実行される。
【００２０】
次に、本例の携帯電話端末１０で、操作入力データの記録及び再生を行う際の処理例を、図２のフローチャートを参照して説明する。まず、制御部２０は、操作部１６でのなんらかのキー操作が発生すると（ステップＳ１１）、その操作が、操作入力の記録モードを設定する操作であるか、或いは操作入力の再生モードを設定する操作であるか判断する（ステップＳ１２）。この判断で、記録モードであると判断した場合には、キーイベント情報の記録処理を行う（ステップＳ１３）。
【００２１】
また、再生モードであると判断した場合には、制御部２０内で用意されたタイマを初期化し、指示された再生手続きを呼び出す処理が行われる（ステップＳ１４）。
【００２２】
次に、操作入力の記録モードとなって、キーイベント情報の記録処理を行う例を、図４の表示例を参照して説明する。なお、図４以降の表示例で示される各画面のデータは、メモリ１５に予め記憶されている。
【００２３】
まず、操作入力の記録モードとなった状態で、起動キーが押されると、記録を準備する表示画面ａが表示される。この例では、記録された操作入力がない状態を示し、「記録がありません。記録しますか？」と表示させてある。この状態で、「Ｙｅｓ」を選択する操作があると、記録をスタートすることを示す表示画面ｂが表示される。この例では、「記録をスタートします。操作を行って下さい。」と表示させてある。
【００２４】
この表示の後は、ユーザが操作入力を記録したい操作を、操作部１６として用意された各種操作キーを操作して、この端末装置１０に用意されたアプリケーションプログラムを実際に該当する操作に基づいて実行させ、その実行による画面を表示させる。そして、記録させたい操作入力が終了すると、起動キーを操作させ、記録を停止させることを示す表示画面ｃを表示させ、記録を停止する。そして、記録開始から終了までのキー操作に関するキーイベント情報を、１つの記録ファイルとしてメモリ１５に記憶させる。
【００２５】
記録されるキーイベント情報としては、例えば、操作があったキーのＩＤ番号と、キーの操作状態を示す情報と、キー操作されたタイミングの情報とがある。タイミングの情報は、例えば、上述したタイマがカウントする時刻の情報である。キーの操作状態を示す情報としては、キーが押されたタイミングの情報と、押されたキーが離されたタイミングの情報を含むようにする。このようにすることで、キーが短時間だけ押された場合と、長い時間連続して押しされた場合（いわゆる長押し状態）とを区別して、実際の操作状態を正確に記録することができる。
【００２６】
次に、図２のフローチャートで操作入力の再生モードが選択された場合の処理例を、図３のフローチャートと、図５の表示例を参照して説明する。まず、図３のフローチャートを説明すると、再生モードが判断されると（ステップＳ２１）、指示された記録ファイルが最後であるか否か判断し（ステップＳ２２）、記録ファイルが最後である場合には、再生モードをオフとし、タイマを停止させる（ステップＳ２３）。
【００２７】
そして、ステップＳ２２で記録ファイルが最後でないと判断した場合には、現在と次のキーイベント情報をメモリ１５から制御部２０が読出し（ステップＳ２４）、キーイベントを制御部２０内のプログラム実行部に渡し、キーイベントによる操作（動作）を実行させる（ステップＳ２５）。その後、次のキーイベントとの時間差でタイマをリセットし、再生手続きを再度呼び出し（ステップＳ２６）、ステップＳ２１の判断に戻る。
【００２８】
図５は、実際の再生時が開始されるまでの画面例である。まず、操作入力の再生モードとなった状態で、起動キーが押されると、記録されたファイルの一覧の表示画面ｄが表示される。この状態で、いずれかの記録ファイルが選択されると、その選択されたファイルに記録されたキーイベントを再生させることを示す表示画面eが表示され、その後、図３のフローチャートで説明した手順で、記録されたキー操作に基づいた画面が順に表示されると共に、端末の動作状態も該当する状態に再現される。
【００２９】
なお、記録モード又は再生モードとなった状態で、所定のキー操作（例えばモアキー）があると、記録ファイルの追加や、記録ファイルの削除などが行える。即ち、例えば図６の表示例で示すように、モアキー（Moreキー）が操作された状態で、当たらし記録の作成と記録済みのファイルの削除を選択させる表示画面ｆを表示させる。
【００３０】
この表示で、削除が選択された場合には、例えば図７の表示例で示すように、削除することを示す画面表示ｇを行い、その画面表示で「Ｙｅｓ」が選択された場合には、メモリ１５から該当する記録ファイルの記憶を削除し、削除が実行されたことを示す画面表示ｈを行う。
【００３１】
このように本例の携帯電話端末によると、予め複数のキー操作を記録しておき、そのキー操作が必要なときに再生できるようにしたことで、例えば、ユーザが比較的良く使用する複雑な操作を記録させておくことで、複雑な操作手順をユーザが記憶してなくても、該当する再生操作を行うだけで操作をしたものと同じ状態となり、ユーザの手間を省くことができ、簡単に操作できるようになる。また、操作手順をユーザが完全に覚えておく必要がなく、ユーザの負担を軽減できる。
【００３２】
この場合、再生時には、記録したときと同じ時間をかけて順に操作が行われることになり、画面表示などが実操作と同様の速さで切換わり、ユーザにも操作が行われていることが良好に認識できる。
【００３３】
さらに、操作入力の記録ファイルを、電子メールの添付ファイルとして、他の端末装置に送信したり、或いは、近距離無線通信で記録ファイルを直接送信することで、あるユーザが知りたい操作手順を、該当する操作を知っているユーザから教えてもらうことが簡単にできるようになる。即ち、操作を知っているユーザ側の端末装置で記録した後に、その記録されたファイルを、操作がわからないユーザ側の端末装置に転送することで、該当するファイルの再生で、必要な操作が行えると共に、再生時の画面の変化から、具体的な操作を知ることができ、便利である。
【００３４】
なお、ここまで説明した図４から図７の表示例は、一例を示したものであり、それぞれの状態が判るその他の表示態様としてもよい。
【００３５】
また、上述した実施の形態では、記録及び再生する操作として、端末装置に実装された通信機能に関係したアプリケーションプログラムを実行させる操作とだけ述べ、具体的な操作例については特に説明しなかったが、携帯電話端末装置で実行可能な各種操作に適用可能である。例えば、携帯電話端末装置での通信機能を利用して、インターネットの特定のサイト（例えば検索用サイト）にアクセスして、検索画面などを表示させるような操作にも適用可能である。このような処理を行うための操作を記録しておくことで、該当するサイトを指定するアドレス入力などについても、再生時に入力する必要がなく、簡単に必要なアクセス処理が行える。
【００３６】
また、ここまで説明した実施の形態では、携帯電話端末に適用した例としたが、同様の無線通信処理を行うその他の無線通信端末装置で、その端末装置に用意されたアプリケーションプログラムを実行する操作に関して、同様の記録と再生を行うようにしてもよい。
【図面の簡単な説明】
【００３７】
【図１】本発明の一実施の形態による端末構成例を示すブロック図である。
【図２】本発明の一実施の形態による記録と再生の処理例を示したフローチャートである。
【図３】本発明の一実施の形態による再生時の例を示したフローチャートである。
【図４】本発明の一実施の形態による記録時の表示例を示す説明図である。
【図５】本発明の一実施の形態による再生時の表示例を示す説明図である。
【図６】本発明の一実施の形態によるモアキー操作時の表示例を示す説明図である。
【図７】本発明の一実施の形態による削除時の表示例を示す説明図である。
【符号の説明】
【００３８】
１０…携帯電話端末、１１…アンテナ、１２…通信回路、１３…マイクロフォン、１４…スピーカ、１５…メモリ、１６…操作部、２０…制御部、２１…制御ライン、２２…データライン、３１…撮像制御部、３２…カメラ部、３３…近距離通信部、３４…アンテナ、４０…表示部
【図１】
2007158684.tif 000003
【図２】
2007158684.tif 000004
【図３】
2007158684.tif 000005
【図４】
2007158684.tif 000006
【図５】
2007158684.tif 000007
【図６】
2007158684.tif 000008
【図７】
2007158684.tif 000009